(57)【要約】      （修正有）【課題】一方の敷地と他方の敷地との境界に敷設され、車両の乗入れや人の移動に対して高い耐久性を備えた境界ブロックを提供する。【解決手段】境界ブロック１は、一方の敷地と他方の敷地との境界に敷設される矩形棒状の境界ブロックであって、上面に長手方向に一様な傾斜部と平坦部と切欠部とを有し、内部に鉄筋を矩形箱状に連接したアンカー筋を埋設したことを特徴とする。アンカー筋は、矩形箱状となるように外枠の長辺を形成する４本の長枠筋１２と、長枠筋１２の端部と外側から当接して長枠筋１２と共に上下面を形成する４本の短枠筋１３と、長枠筋１２の端部と短枠筋１３とが交差する内側に当接して上下面と連接する４本の縦枠筋１４とを溶接により連結して外枠を形成している。【選択図】図３
0003193580.tif 000002
【実用新案登録請求の範囲】
【請求項１】
一方の敷地と他方の敷地との境界に敷設される矩形棒状の境界ブロックであって、
上面に長手方向に一様な傾斜部と平坦部と切欠部とを有し、
内部に鉄筋を矩形箱状に連接したアンカー筋を埋設したことを特徴とする境界ブロック。
【請求項２】
短手方向の幅員を高さの１〜１．４倍の長さで形成してなることを特徴とする請求項１に記載の境界ブロック。
【請求項３】
長手方向の両端部に凸状の係合部を形成したことを特徴とする請求項１または２に記載の境界ブロック。
【考案の詳細な説明】
【技術分野】
【０００１】
この考案は、一方の敷地と他方の敷地との境界に敷設され車両の乗入れや人の移動に対して高い耐久性を備えた境界ブロックに関する。
【背景技術】
【０００２】
従来、車道と歩道や歩道と駐車場等の境界に敷設される境界ブロックは、一方の敷地と他方の敷地との高低差を大きくして境界を明確に区分したものがある（例えば、特許文献１参照）。
【０００３】
また、図６、図７に示すように、一方の敷地と他方の敷地との高低差を３０ｍｍ程度と低くして車両の乗入れや人の移動を容易とした境界ブロックＪもある（例えば、非特許文献１参照）。
【先行技術文献】
【特許文献】
【０００４】
【特許文献１】特開平１１−１３１９９号公報
【非特許文献１】東洋コンクリート工業株式会社“Ｅ−０１−５０歩車道境界ブロック  マウントアップ用  平  Ｈ＝５０用”[online]、[平成２６年７月２３日検索]、インターネット＜ＵＲＬ：http://www.toyo-con.co.jp/toyodb/index.php?line=5＞
【考案の概要】
【考案が解決しようとする課題】
【０００５】
特許文献１に係る境界ブロックは、一方の敷地と他方の敷地との高低差を大きくしているため、境界ブロック自体も充分な幅員と高さを有し、垂直方向の負荷に対して高強度を確保している。
【０００６】
しかしながら、該境界ブロックは敷地間の高低差が大きいことから車両の乗入れや人の移動には適していなかった。
【０００７】
これに対して、非特許文献１に係る境界ブロックは、敷地間の高低差をできるだけ小さくして車両の乗入れや人の移動を容易とするために略矩形偏平状の小型に形成している。
【０００８】
しかしながら、該境界ブロックは高さが低い偏平状としていることから、車両の乗入れ時等の垂直方向の負荷に対して充分な強度を有しておらず、亀裂の発生や分断といった損傷が問題となっていたため、内部に埋設可能な最低限のアンカー筋で補強を行っていた。
【０００９】
本考案は、以上のような事情に鑑みてなされたものであり、一方の敷地と他方の敷地との境界に敷設され、車両の乗入れや人の移動に対して高い耐久性を備えた境界ブロックを提供することにある。
【課題を解決するための手段】
【００１０】
以上のような目的を達成するために、本考案は以下のようなものを提供する。
【００１１】
請求項１に係る考案では、一方の敷地と他方の敷地との境界に敷設される矩形棒状の境界ブロックであって、上面に長手方向に一様な傾斜部と平坦部と切欠部とを有し、内部に鉄筋を矩形箱状に連接したアンカー筋を埋設したことを特徴とする境界ブロックを提供せんとする。
【００１２】
請求項２に係る考案では、短手方向の幅員を高さの１〜１．４倍の長さで形成してなることを特徴とする請求項１に記載の境界ブロックを提供せんとする。
【００１３】
請求項３に係る考案では、長手方向の両端部に凸状の係合部を形成したことを特徴とする請求項１または２に記載の境界ブロックを提供せんとする。
【考案の効果】
【００１４】
請求項１記載の考案によれば、上面に長手方向に一様な傾斜部と平坦部と切欠部とを有することで、一方の敷地から他方の敷地へと移動する際に傾斜部と平坦部とにより負荷なく双方向への移動ができると共に、切欠部がアスファルト等の舗装材の下に埋設され、切欠部を形成する後壁と舗装材との境界部分の強度を向上させ舗装材の沈み込みを防止する
ことができる。
【００１５】
また、他方の敷地と境界ブロックの上面側の平坦部と切欠部の垂直な切り出し面との境界に生じた微小な間隙から植物の種子が入り込み下方に向けて根を生やそうとしても、切欠部の下部となる水平な切り出し面が障害となり根の成長が抑制され防草効果を得ることができる。
【００１６】
また、境界ブロックの内部に鉄筋を矩形箱状に連接したアンカー筋を埋設しているので、境界ブロックの全方向の強度を向上させることができ、境界ブロックの耐久性を大幅に向上させることができる。
【００１７】
請求項２記載の考案によれば、境界ブロックの短手方向の幅員を高さの１〜１．４倍の長さで形成しているので、境界ブロックの内部に矩形箱状のアンカー筋を埋設するのに充分な容積を確保することができる。
【００１８】
また、境界ブロックの高さを抑えられるので、境界ブロックの地中への埋設深さを浅くでき、現場での施工が容易となり、しかも、車両の乗入れや人の移動を容易とすることができる。
【００１９】
請求項３記載の考案によれば、境界ブロックの長手方向の両端部に凸状の係合部を形成しているので、係合部が嵌合可能な凹溝を有する別途の連結材を用いることで、連結材を介して各境界ブロックの端部間を容易に連設施工することができる。
【図面の簡単な説明】
【００２０】
【図１】本考案に係る境界ブロックの斜視図である。
【図２】本考案に係る境界ブロックの施工状態を示した図である。
【図３】本考案に係る境界ブロック内部のアンカー筋を示す斜視透視図である。
【図４】（ａ）は境界ブロック内部のアンカー筋を示す透視側面図で、（ｂ）は透視正面図で、（ｃ）は透視平面図である。
【図５】本考案に係る境界ブロックの施工例を示す斜視図である。
【図６】従来の境界ブロックの斜視図である。
【図７】従来の境界ブロックの施工状態を示した図である。
【考案を実施するための形態】
【００２１】
本考案に係る境界ブロックの要旨は、一方の敷地と他方の敷地との境界に敷設される矩形棒状の境界ブロックであって、上面に長手方向に一様な傾斜部と平坦部と切欠部とを有し、内部に鉄筋を矩形箱状に連接したアンカー筋を埋設したことを特徴とする。すなわち、車両の乗入れや人の移動に対して高い耐久性を備えた境界ブロックの提供を図ろうとするものである。
【００２２】
以下、本考案に係る境界ブロックの一実施形態について図面を参照しながら説明する。また、本説明中において左右同一又は左右対称の構造や部品については、原則として同一の符号を付し、左右何れか一方のみを説明して、他方については説明を適宜省略する。
【００２３】
[実施形態]
図１は本考案に係る境界ブロック１の斜視図であり、図２は境界ブロック１の施工状態を示した図であり、図３は境界ブロック１内部のアンカー筋１１を示す斜視透視図であり、図４（ａ）は境界ブロック１内部のアンカー筋１１を示す透視側面図で、（ｂ）は透視正面図で、（ｃ）は透視平面図であり、図５は本考案に係る境界ブロック１の施工例を示す斜視図である。
【００２４】
本実施形態に係る境界ブロック１は、図１、図４、図５に示すように、一方の敷地Ｄ１と他方の敷地Ｄ１との境界に敷設される矩形棒状の境界ブロック１であって、上面に長手方向に一様な傾斜部２と平坦部３と切欠部４とを有し、内部に鉄筋を矩形箱状に連接したアンカー筋１１を埋設している。
【００２５】
また、境界ブロック１の短手方向の幅員Ｗを高さＨの１〜１．４倍の長さに形成し、長手方向の両端８，８部に凸状の係合部９を形成している。
【００２６】
このように境界ブロック１を形成することで、車両の乗入れや人の移動に対して高い耐久性を備えた境界ブロック１を構成することができる。
【００２７】
以下、本実施形態に係る境界ブロック１の各部の構造について詳述する。
【００２８】
図１、図２に示すように、境界ブロック１はコンクリートにより矩形棒状に形成し、上面には一方の敷地Ｄ１側から傾斜部２、平坦部３、切欠部４を形成し、切欠部４は他方の敷地Ｄ２側に接している。
【００２９】
傾斜部２は一方の敷地Ｄ１側に向けて略１２°の緩やかな傾斜を形成すると共に前壁５と連設している。前壁５は底部７に向けて略５°拡開して形成し、傾斜部２と交差する角部１０を湾曲状に面取りしている。
【００３０】
なお、傾斜部２の角度は８°〜１６°の範囲が望ましく、前壁５の角度は０°（直角）〜１０°の範囲が望ましい。
【００３１】
このように形成した境界ブロック１の前方は、一方の敷地Ｄ１の地表面（舗装面）が角部１０の近傍に位置するように地中Ｇに埋設される。
【００３２】
また、切欠部４は上面を鉛直下方に切出しつつ、一方の敷地Ｄ１の地表面と略同高さとなる位置で他方の敷地Ｄ２側に水平に切出している。すなわち、切欠部４は後壁６と上面とが交差する角部を境界ブロック１の長手方向に一様に矩形状に切出した形状としている。なお、後壁６は底部７に向けて略直角に形成している。
【００３３】
このように形成した境界ブロック１の後方は、他方の敷地Ｄ２の地表面（舗装面）が上面と面一となるように地中Ｇに埋設される。従って、切欠部４は他方の敷地Ｄ２で被覆されることになる。
【００３４】
また、境界ブロック１の長手方向の両端部８，８には、前後壁５，６の縁端から所定の距離を置いて隣接して平行に形成した凸状の係合部９を形成している。すなわち、係合部９は円柱形状に形成し、端部８から外側に２箇所突出している。
【００３５】
図５に示すように、複数の境界ブロック１を連接して設置するに際しては、図１に示すように境界ブロック１の短手方向の断面形状と略同断面形状の別途の連結板Ｒを用いる。
【００３６】
連結板Ｒは板状の樹脂材料で形成しており、境界ブロック１の係合部９に対応した位置に、係合部９が嵌合可能な円形状の凹溝ｍを穿設している。このように構成することで、連結板Ｒを介して各境界ブロック１の端部８間を連接施工することができる。
【００３７】
なお、凹溝ｍは貫通孔として形成してもよい。貫通孔とすることで連結板Ｒの製作が容易となり、部材コストを低廉に抑えることができる。
【００３８】
また、境界ブロック１の短手方向の幅員Ｗを高さＨの１〜１．４倍の長さに形成し、前後壁５，６と底部７、及び両端部８，８とで囲繞する領域に、鉄筋を矩形箱状に連接したアンカー筋１１を埋設している。
【００３９】
アンカー筋１１は、図３、図４（ａ）〜（ｃ）に示すように、境界ブロック１の内部において前後壁５，６と底部７、及び両端部８，８と所定の距離を置きつつ可能な限り近づけるように配設している。
【００４０】
アンカー筋１１は、矩形箱状となるように外枠の長辺を形成する４本の長枠筋１２と、長枠筋１２の端部と外側から当接して長枠筋１２と共に上下面を形成する４本の短枠筋１３と、長枠筋１２の端部と短枠筋１３とが交差する内側に当接して上下面と連接する４本の縦枠筋１４とを溶接により連結して外枠を形成している。
【００４１】
また、外枠を補強するために長手方向を３分割した位置に、すなわち、３分割した真ん中で上述した外枠と同様の枠部分を形成するように、上述した短枠筋１３と同様の４本の内部短枠筋１３ａと縦枠筋１４と同様の４本の内部縦枠筋１４ａを長枠筋１２の所定の位置で溶接固定している。
【００４２】
更に、長手方向の強度を向上させるために、短枠筋１３と内部短枠筋１３ａの中央部の内側で当接するように、上述した長枠筋１２と同様の２本の補強長枠筋１２ａを溶接固定している。
【００４３】
このように複数の鉄筋を溶接することで強固な矩形箱状のアンカー筋１１を形成することができる。
【００４４】
以上、説明したように本実施形態に係る境界ブロック１は構成している。
【００４５】
従って、上面に長手方向に一様な傾斜部２と平坦部３と切欠部４とを有することで、一方の敷地Ｄ１から他方の敷地Ｄ２へと移動する際に傾斜部２と平坦部３とにより負荷なく双方向への移動ができると共に、切欠部４がアスファルト等の舗装材の下に埋設され、切欠部４を形成する後壁６と舗装材との境界部分の強度を向上させ舗装材の沈み込みを防止することができる。
【００４６】
また、他方の敷地Ｄ２と境界ブロック１の上面側の平坦部３と切欠部４の垂直な切り出し面との境界に生じた微小な間隙から植物の種子が入り込み下方に向けて根を生やそうとしても、切欠部４の下部となる水平な切り出し面が障害となり根の成長が抑制され防草効果を得ることができる。
【００４７】
また、境界ブロック１の内部に鉄筋を矩形箱状に連接したアンカー筋１１を埋設しているので、境界ブロック１の全方向の強度を向上させることができ、境界ブロック１の耐久性を大幅に向上させることができる。
【００４８】
また、境界ブロック１の短手方向の幅員Ｗを高さＨの１〜１．４倍の長さで形成しているので、境界ブロック１の内部に矩形箱状のアンカー筋１１を埋設するのに充分な容積を確保することができる。
【００４９】
また、境界ブロック１の高さＨを抑えられるので、境界ブロック１の地中Ｇへの埋設深さを浅くでき、現場での施工が容易となり、しかも、車両の乗入れや人の移動を容易とすることができる。
【００５０】
更に、境界ブロック１の長手方向の両端部８，８に凸状の係合部９を形成しているので、係合部９が嵌合可能な凹溝ｍを有する別途の連結板Ｒを用いることで、連結板Ｒを介して各境界ブロック１の端部８間を容易に連設施工することができる。
【００５１】
以上、本考案の好ましい実施形態について説明したが、本考案は係る特定の実施形態に限定されるものではなく、実用新案登録請求の範囲に記載された本考案の要旨の範囲内において、種々の変形・変更が可能である。
【符号の説明】
【００５２】
Ｄ１  一方の敷地
Ｄ２  他方の敷地
Ｈ    高さ
Ｗ    幅員
１  境界ブロック
２  傾斜部
３  平坦部
４  切欠部
８  端部
９  係合部
１１  アンカー筋
【図１】
0003193580.tif 000003
【図２】
0003193580.tif 000004
【図３】
0003193580.tif 000005
【図４】
0003193580.tif 000006
【図５】
0003193580.tif 000007
【図６】
0003193580.tif 000008
【図７】
0003193580.tif 000009